(57)【要約】【課題】  本発明の課題は、円筒状中空（バネ状）フィルタと濾過助剤による濾過に液体中の生物を殺滅する機能を付加し、船舶バラスト水の生物を殺滅し、国際環境基準に適合するレベルとなす殺滅方法と装置の提供である。【解決手段】  円筒状中空（バネ状）フィルタエレメント表面にプリコートした濾過助剤に捕獲された生物を電気的殺滅法で殺滅するというものである。濾過助剤には濾過中に生物が集中し、かつ、フィルタエレメント表面に比較的薄く延ばされた薄膜状となっているので、殺滅のための電気エネルギーを与えやすい。他の方法で、たとえば生物がバルク（塊）状であると、バルク（塊）中心にまで熱を与えるのは比較的難しい。すなわち、濾過のために濾過助剤に捕獲された状態が殺滅のために電気エネルギー付与するのにきわめて好適な状態であると認識した。これが本発明の本質であり、効果的かつ実用的な生物殺滅が実現される。【選択図】図１０
2006102678.tif 000002
【特許請求の範囲】
【請求項１】
複数の導電性の円筒状中空フィルタエレメントを内蔵した濾過槽で原水中の生物を殺滅する方法であって、円筒状中空フィルタエレメントに生物を捕獲しつつ原水を通過させ清浄水を分離する第一工程の工程中に該円筒状中空フィルタエレメントに通電する第二工程を行う、または、円筒状中空フィルタエレメントに生物を捕獲しつつ原水を通過させ清浄水を分離する第一工程のあとで該円筒状中空フィルタエレメントに通電する第二工程を行うことで液体中の生物を電気的に殺滅する方法
【請求項２】
複数の導電性の円筒状中空フィルタエレメントが二群に分けられ、第二工程が、導電性円筒状中空フィルタエレメントの前記二群の一群と他群の間に少なくとも一回の極性反転を伴う電圧を印加することで円筒状中空フィルタエレメントの一群の導電部と他群の導電部間に正・逆方向の両方向に通電する請求項１の生物殺滅方法
【請求項３】
導電性の円筒状中空フィルタエレメントと離隔した対抗電極が濾過槽内に配設されていて、第二工程が、導電性円筒状中空フィルタエレメントと前記対抗電極の間に電圧を印加することで円筒状中空フィルタエレメントの導電部と前記対抗電極間に通電する請求項１の生物殺滅方法
【請求項４】
複数の導電性円筒状中空フィルタエレメントを内蔵した濾過槽で原水中の生物を殺滅する装置であって、複数の導電性円筒状中空フィルタエレメントが二群に分けられ、該二群の一群の導電部と他群の導電部を通電する電圧を印加する電源が前記二群の一群の導電部および他群の導電部とに接続し配設された液体中の生物を電気的に殺滅する装置
【請求項５】
複数の導電性円筒状中空フィルタエレメントを内蔵した濾過槽で原水中の生物を殺滅する装置であって、複数の導電性の円筒状中空フィルタエレメントと離隔した対抗電極が濾過槽内に配設され、該対抗電極と円筒状中空フィルタエレメントの導電部を通電する電圧を印加する電源が前記対抗電極および円筒状中空フィルタエレメントの導電部とに接続し配設された液体中の生物を電気的に殺滅する装置
【請求項６】
電源が印加電圧の極性を反転する回路を有するものである請求項４の電気的殺滅装置
【請求項７】
円筒状中空フィルタエレメントに隣接して該円筒状中空フィルタエレメント表面およびその周縁を洗浄する噴流ノズルを具備した洗浄手段が濾過槽内に配設され、対抗電極が前記洗浄手段の導電部である、または、濾過槽内の液体を攪拌する噴流ノズルを具備した攪拌手段が濾過槽内に配設され、対抗電極が前記攪拌手段の導電性部である請求項５の生物殺滅装置
【発明の詳細な説明】
【技術分野】
【０００１】
本発明は円筒状中空（バネ状）フィルタと濾過助剤による濾過装置に液体中の生物を殺滅する機能が付加された装置とその殺滅方法に関する。船舶バラスト水の生物を国際環境基準に適合するレベルに殺滅する船舶バラスト水処理に利用する技術である。
【背景技術】
【０００２】
船舶バラスト水は国際的な生態系破壊や細菌感染という問題の原因となるため、2009年から外海でのバラスト水交換（または無生物化処理）、バラストタンク容量によって2014または2016年より無生物化が義務付けられる。よって、船舶バラスト水の生物を殺滅する技術が求められている。環境基準は図７に示す厳しいものである。本明細書で記載される生物の殺滅とは、図７の表に記載された生物に関して同表に記載されたレベルの生物数削減（無生物化）を意味するものである。
【０００３】
生物の殺滅を意図した従来の船舶バラスト水処理方法については、船舶の熱機関の熱を利用する熱殺滅が処理コスト上もっとも有利で実用的と考えられる。熱殺滅の方法にはタンク底部にエンジン冷却用熱水を注入する（特許文献１）、熱交換器をバラスト配管系の途中に配設する（特許文献２）などがある。しかし、殺滅の確実性に疑問があるし、熱エネルギー効率も改善の余地がある。すなわち、特許文献１のように生物の存在しやすい船底に熱エネルギーを与えるとすると与えるべき部位が広いので膨大な熱量を要する。特許文献２ではバラスト配管系全域にわたって殺滅に十分な熱エネルギーを供給せねばならず熱エネルギー効率は悪い。
【０００４】
熱殺滅以外にも、オゾンまたはオゾンと蒸気の混合による殺滅（特許文献３）、高電圧パルスなどによる電気的殺滅（特許文献４、１０、１１）、酸度濃度を変化させることによる殺滅（特許文献５）、噴流衝突・爆発・キャビテーションなどで機械エネルギーを水中生物に与え破壊する殺滅、紫外線や光触媒による方法など、多くの新方式が開発されているが、実用レベルに達しているものはない。しかしながら、発明者らは、これらの方式のなかで電気的殺滅法については比較的有望と考え、本案を発明するに至った。
【０００５】
電気的殺滅法の原理は、処理水に電圧を印加して電解によって種々のラジカル（活性酸素など）を生成し、その酸化力により殺滅効果を得ることであり、また、電位差が直接的に細胞膜などの生体を破壊することである。さらにまた、大腸菌，酵母，動物細胞等では、細胞の呼吸活性に必要不可欠な酵素：補酵素Ａ（ＣｏＡ：Co-enzyme A）の存在が確認されていて、細胞を電極に接触させ細胞に電位差を与えていくと、＋0.74V付近に酸化のピークが出現し、補酵素Ａもこの電位で酸化ピークとなることが知られている。（この電位は、電流電位曲線（current-potential curve・ボルタンモグラム）またはサイクリックボルタンメ トリー（cyclic voltammetry）を参照電極：飽和カロメル電極(SCE)として測定したときの電位である）  したがって、電気的殺滅法の別原理は、生物細胞に補酵素Ａが酸化する＋0.74V程度の電位差を細胞内外に与え、補酵素Ａを不活化し細胞の呼吸活性に損傷を与え死滅させることである。
【０００６】
生物の殺滅工程の一方で、濾過・浄化工程も船舶バラスト水処理に必要である。すなわち濾過・浄化も殺滅に組み合わせて船舶上で行われるべきであり、保守性・経済性で有利な濾過・浄化法も必要である。発明者らは、円筒状中空フィルタエレメントによる濾過装置の保守性・経済性に注目した（特許文献６−９参照）。
【０００７】
円筒状中空フィルタエレメントそのもの、および濾過装置に円筒状中空フィルタを利用することは公知である（特許文献６、７、１２、１３参照）。本案にて円筒状中空フィルタの好適なる選択例は、金属の「バネ状フィルタ」である。以下簡単のためバネ状フィルタの例を主体として説明するが、本案はこれに限定されず、特許文献１２、１３のような焼結フィルタでもよい。さて、「バネ状フィルタ」は「コイル状フィルタ」、「スプリングフィルタ」とも呼ばれ、これらは同一である。バネ状フィルタは構造上細長い空隙をもつので、細長い物体はすり抜けてしまう。そのため、とりわけ不定形である生物を濾過する場合には珪藻土などの濾過助剤を濾過前にフィルタ表面にあらかじめ被覆（プリコート）している。濾過助剤が細長い空隙にブリッジングし、そのブリッジング部位が濾過作用する。すなわち、バネ状フィルタ自体は濾過助剤がブリッジングして濾過助剤が固定され濾過作用を行う場所を形成させるためにある。
【０００８】
濾過排除すべき物体の形状が扁平でなく、必ずバネ状フィルタの細長い空隙に捕獲されるという保証があれば濾過助剤は不要である。しかし、このようなケースはごく稀である。バネ状フィルタ濾過装置は前記の濾過助剤と組み合わせて用いる必要がある。一方、特許文献１２、１３のような焼結フィルタでは助剤は必ずしも必要とせず、焼結体内に形成した微細迷路構造で濾過排除すべき物体を捕獲する。焼結フィルタでは、助剤不要というメリットの一方、フィルタ自体が高価である、微細迷路構造に捕獲された濾過排除すべき物体を逆洗でも排除できず特殊な抽出洗浄を必要とする場合がある、というディメリットがある。焼結フィルタとバネ状フィルタとは、たとえば精密濾過（１００ミクロンレベル）と一般濾過（１０１ミクロン超）といった用途で使い分けられている。本案は焼結フィルタとバネ状フィルタのいずれにも適用可能だが、簡単のためバネ状フィルタを用いた説明を継続する。
【０００９】
図５が円筒状中空（バネ状）フィルタ濾過装置の模式図である。１は円筒状中空（バネ状）フィルタエレメント、２は原水（被処理水）流入孔、３はフィルタ１で濾過した水流出孔である。図４が円筒状中空（バネ状）フィルタ濾過装置を用いた公知の水処理フローである。ここでＣｗは濾過処理された清浄水、Ｄｗは処理前の原水（バラスト水用途であれば港湾などで吸引した港湾水）である。図６が円筒状中空（バネ状）フィルタエレメントの状態遷移図であって、（ａ）濾過スタンバイ、（ｂ）助剤のプリコート、（ｃ）濾過、（ｄ）逆洗、（ｅ）フィルタ洗浄状態である。ここで、Ｊは珪藻土などの濾過助剤、Ｐｗは逆洗用の高圧液体または高圧気体である。公知の円筒状中空（バネ状）フィルタエレメントによる濾過装置の構造と機能の詳細は特許文献７−９に記載されているので略す。
【００１０】
【特許文献１】特許第2794537号「バラストタンクの熱処理方法およびその装置」日本郵船株式会社
【特許文献２】米国特許第5816181号「Balllast Water Treatment System」T.W.Sherman
【特許文献３】特開2004-160437号「水浄化方法およびその装置」日本郵船株式会社、郵船商事株式会社ほか
【特許文献４】特開2002-192161号「船舶のバラスト水の処理方法及びその処理装置」三菱重工業株式会社
【特許文献５】米国特許第5932112号「Method and Apparatus for Killing Microorganisms inShip Ballast Water」Browning Transport Management, Inc.
【特許文献６】特許第3124901号「液体濾過フィルターエレメント」加藤耕一、株式会社モノベエンジニアリング
【特許文献７】特許第3394490号「濾過装置」株式会社モノベエンジニアリング、イワブチ株式会社
【特許文献８】特許第3069955号「濾過装置および濾過方法」東芝プラント建設株式会社
【特許文献９】特開2003-71500号「排水処理装置および処理方法」東芝プラント建設株式会社
【特許文献１０】特開2004−188404号「海洋生物死滅方法」菱洋産業株式会社
【特許文献１１】特開2003−334563号「バラスト水」菱洋産業株式会社
【特許文献１２】特許第2791737号「焼結フィルタ及びその製造方法」東京特殊電線株式会社
【特許文献１３】特許第2763751号「フィルタエレメント及びその製造方法」シーケーディ株式会社
【発明の開示】
【発明が解決しようとする課題】
【００１１】
本発明の課題は、円筒状中空（バネ状）フィルタと濾過助剤による濾過に液体中の生物を殺滅する機能を付加し、船舶バラスト水の生物を殺滅し、国際環境基準に適合するレベルとなす殺滅方法と装置で、特に電気的殺滅法を利用した方法と装置を提供することである。
【課題を解決するための手段】
【００１２】
本発明は、濾過助剤を用いた円筒状中空（バネ状）フィルタの濾過中または濾過直後に該フィルタエレメントに捕獲された生物を電気的殺滅法で殺滅するというものである。特に、バネ状フィルタの場合は、（バネ状限定請求項１）複数の導電性のバネ状フィルタエレメントを内蔵した濾過槽で原水中の生物を殺滅する方法であって、バネ状フィルタエレメントにプリコートした濾過助剤に生物を捕獲しつつ原水を通過させ清浄水を分離する第一工程の工程中に該バネ状フィルタエレメントに通電する第二工程を行う、または、第一工程のあとで該バネ状フィルタエレメントにプリコートした濾過助剤を残留させたまま該バネ状フィルタエレメントに通電する第二工程を行うことで液体中の生物を電気的に殺滅する方法、である。
【００１３】
フィルタエレメントには濾過中に生物が集中し、かつ、フィルタエレメント表面に比較的薄く延ばされた薄膜状となっているのでインピーダンスが小さく、殺滅のための電圧は低電圧でよい。他の方法で、たとえば生物がバルク（塊）状であるとインピーダンスが比較的大きく、バルク（塊）中心にまで通電する電圧は高電圧を要し比較的難しく実用化困難となる。すなわち、濾過のためにフィルタエレメントに捕獲された状態が殺滅のため電気エネルギーを付与するのにきわめて好適な状態であると認識(notice)した。これが本発明の本質である。
【００１４】
また、円筒状中空（バネ状）フィルタ濾過装置では導電性金属のフィルタエレメントが用いられ、かつまた、フィルタ能力を極力上げるべく、複数のフィルタエレメントを極限まで隣接・密集させた状態で濾過槽内に林立配設されている。このことは、フィルタエレメント表面を電極と見た場合、互いに近接して表面電極があるということなので、これら表面電極間に通電する場合の電極間インピーダンスが小さく、好都合であることを認識(notice)した。これも本発明の本質である。
【００１５】
さて本案原理を図１０で説明する。１Ａは二群に分けられた複数の円筒状中空（バネ状）フィルタエレメントの一群に属する円筒状中空（バネ状）フィルタエレメント、１Ｂは二群に分けられた複数の円筒状中空（バネ状）フィルタエレメントの他群に属する円筒状中空（バネ状）フィルタエレメント、ＥＬ１が円筒状中空（バネ状）フィルタエレメントの一群（１Ａ）に接続された外部端子、ＥＬ２が円筒状中空（バネ状）フィルタエレメントの他群（１Ｂ）に接続された外部端子、ＥＬＡがＥＬ１と１Ａを電気的に接続する配線、ＥＬＢがＥＬ２と１Ｂを電気的に接続する配線である。この構成で二群の一群と他群の間に電圧を印加する。
【００１６】
つまり、ＥＬ１とＥＬ２間に電圧を印加して、あたかも１Ａの表面電極と１Ｂの表面電極をもちいた原水（被処理水）の電気分解と同様の状態で生物殺滅する。すなわち、原水に電圧を印加して電解によって種々のラジカル（活性酸素など）を生成し、その酸化力により殺滅効果を得る。また、電位差が直接的に濾過助剤に捕獲された生物の細胞膜などの生体を破壊する。さらにまた、大腸菌，酵母，動物細胞等では、生物細胞に補酵素Ａが酸化する＋0.74V程度の電位差が細胞内外に与えられ、補酵素Ａを不活化し細胞の呼吸機序にダメージを与え死滅させる。
【００１７】
電気的生物殺滅の上記原理は公知だが電子レベルの電気化学反応、およびインビボ、インビトロの生化学反応の機序解明は研究段階にある。そのため、こういった殺滅装置において機能仕様を満たす電気エネルギーのヒントは現状理論からは得られない。しかし、実用的には装置を組んで特定の殺滅生物ターゲットにつき、電気的殺滅前後のターゲット生物生存数を比較しつつ最適電圧仕様をきめる実験を実施すればよい。
【００１８】
ただし、電気エネルギーの付与仕様として、装置保守の条件から直流電圧を極性同一のまま印加するのは好ましくない。特定の円筒状中空（バネ状）フィルタエレメント表面が電気腐食されるからである。また、電気分解で正極にあらわれるラジカル種と量は、負極のそれとは大きく異なる。そのため、極性同一印加では二群に分けられた一群と他群の表面電極での殺滅効果に差があらわれ好ましくない。電気腐食分散の装置保守上の条件、ならびに、ラジカル種と量の極性差を平準化するため、二群の一群と他群の間に少なくとも一回の極性反転を伴う電圧を印加することが望ましい。これは、持続時間の長い電圧を印加する場合でも、パルス状の電圧を繰り返し印加する場合でも同様である。前記「少なくとも一回の極性反転を伴う電圧」には、交流電圧を含むものである。かかる交流電圧の波形は、商用サイン波でもよいが、のこぎり波、矩形波、三角波といった特徴的な波形のいずれかが特定の生物殺滅により好適である可能性がある。
【００１９】
本案の方法をバネ状フィルタの場合に限定せず記すると、（請求項１）複数の導電性の円筒状中空フィルタエレメントを内蔵した濾過槽で原水中の生物を殺滅する方法であって、円筒状中空フィルタエレメントに生物を捕獲しつつ原水を通過させ清浄水を分離する第一工程の工程中に該円筒状中空フィルタエレメントに通電する第二工程を行う、または、円筒状中空フィルタエレメントにプリコートした濾過助剤に生物を捕獲しつつ原水を通過させ清浄水を分離する第一工程のあとで円筒状中空フィルタエレメントに通電する第二工程を行うことで液体中の生物を電気的に殺滅する方法である。ここで第二工程は、第一工程の工程中であっても、第一工程のあとであってもよいことが明示されている。第二工程は、電圧印加するだけであるので、これらいずれでも実施可能であることは自明である。
【００２０】
また本案方法の一態様は、（請求項２）複数の導電性の円筒状中空フィルタエレメントが二群に分けられ、第二工程が、導電性円筒状中空フィルタエレメントの前記二群の一群と他群の間に少なくとも一回の極性反転をして電圧を印加することで円筒状中空フィルタエレメントの一群の導電部と他群の導電部間に正逆両方向に通電する方法である。図１（ａ）およびその部分拡大図である図２が本項を例示した図である。Ｚは電気絶縁材、ＥＬ１は円筒状中空フィルタエレメントの一群（１Ａ）に接続された外部端子、ＥＬ２は円筒状中空フィルタエレメントの他群（１Ｂ）に接続された外部端子、ＥＬＡはＥＬ１と１Ａを電気的に接続する配線、ＥＬＢはＥＬ２と１Ｂを電気的に接続する配線である。
【００２１】
ところで、フィルタエレメントを二群とする分け方は、この図１（ａ）に示すように交互に、１Ａと１Ｂの配置に対称性があるように配置されるよう分けるのが望ましい。電位分布に不均等ができにくくなるからである。電位分布が不均等・非対称になると、殺滅効果も不均等になるし特定の近接部分で電流が大きくなり短絡を招くので好ましくない。
【００２２】
また、第二工程が、導電性円筒状中空（バネ状）フィルタエレメントの前記二群の一群と他群の間にパルス状の電圧を繰り返し印加する、でもよい。パルス状の電圧であれば電気エネルギーが小さくてすみエネルギー節約になるばかりか、生物に与える影響は定常なる電位差よりも、電圧の変化（電圧時間微分）のほうが大きいとする知見もあるからである。もちろんパルス状電圧印加でも少なくとも一回の極性反転はするほうがよい。「少なくとも一回の極性反転」は、交流電圧で実施してもよい。
【００２３】
本案方法の別の態様は、（請求項３）導電性の円筒状中空（バネ状）フィルタエレメントと離隔した対抗電極（counter electrode）が濾過槽内に配設されていて、第二工程が、導電性円筒状中空（バネ状）フィルタエレメントと前記対抗電極の間に電圧を印加することで円筒状中空（バネ状）フィルタエレメントの導電部と前記対抗電極間に通電する方法である。図１（ｂ）、（ｃ）が本項を例示した図である。図１（ｂ）、（ｃ）で１０はフィルタ１を洗浄する洗浄手段またはフィルタ１の周縁を攪拌する攪拌手段であり、その導電性部が対抗電極の機能をはたすものであり該電極がＥＬ０に接続されている。ＥＬ０は対抗電極１０に接続された外部端子である。図３も図１（ｂ）と同様の実施例の例示図である。
【００２４】
このように対抗電極が洗浄・攪拌手段の付加機能としてもよい。すなわち、（請求項７）円筒状中空（バネ状）フィルタエレメントに隣接して該円筒状中空（バネ状）フィルタエレメント表面およびその周縁を洗浄する噴流ノズルを具備した洗浄手段が濾過槽内に配設され、対抗電極が前記洗浄手段の導電部である、または、濾過槽内の液体を攪拌する噴流ノズルを具備した攪拌手段が濾過槽内に配設され、対抗電極が前記攪拌手段の導電性部である、としてもよい。    
【００２５】
前記の攪拌手段は助剤プリコートでの流れ不均等を防ぐための流れアジテートを行う。その流れアジテートの模式図が図８である。図８（ａ）は従来の助剤プリコート状況で、上下方向の助剤拡散不均一が生じている例、図８（ｂ）が本案装置の攪拌手段で助剤不均一を解消したが、フィルタエレメント数が減少しフィルタ効率が下がる例、図８（ｃ）が適切な攪拌手段の配設でフィルタ効率を極度に悪化させることなく助剤不均一を解消した例である。
【００２６】
図９が、洗浄噴流ノズルＮｃ、および隣接する他の洗浄手段の表面を洗浄するノズルＮｎの両方を有する本案洗浄手段の例図である。Ｎｎは隣接する他の洗浄手段に高圧噴流を噴出して洗浄手段同士を洗浄する。
【００２７】
本案方法のさらなる別態様は、対抗電極をロッド（棒）状のものとして円筒状中空（バネ状）フィルタエレメント表面から等距離で、フィルタエレメント周縁に近接離隔して、複数のロッド（棒）状対抗電極を対称配設するものである。これを図１１、図１２に例示する。Ｒがロッド（棒）状の対抗電極である。こういった構成であれば、電極間距離が小さいのでインピーダンスが小さく、殺滅電圧を下げることができるし、電極配置に対称性があるので電位分布の不均等ができにくく好適である。しかも、ロッド（棒）状であるので、濾過する際の吸引流体流を阻害しない。ロッド（棒）断面積は極力小さくしたほうが吸引流体流を阻害しないので、ロッド（棒）状と表現するよりも、針状といった表現であるものが望ましい。
【００２８】
また、ロッド（棒）状の丸型断面を流線型のフィン状にして（図示略）、フィンによってプリコートまたは濾過の際の吸引流体流をアジテートする、といった工夫も考えられる。該フィンは縦長の流れのガイド板であって、円筒状中空（バネ状）フィルタエレメントへの吸引流体流をマクロに見てスパイラル状として流れを円滑化するようにしてもよい。
【発明の効果】
【００２９】
本案の殺滅は、円筒状中空（バネ状）フィルタエレメント表面にプリコートした濾過助剤に捕獲された生物を電気的殺滅法で殺滅するというものである。濾過助剤には濾過中に生物が集中し、かつ、フィルタエレメント表面に比較的薄く延ばされた薄膜状となっているので、殺滅のための電気エネルギーを与えやすい。他の方法で、たとえば生物がバルク（塊）状であると、バルク（塊）中心にまで熱を与えるのは比較的難しい。すなわち、濾過のために濾過助剤に捕獲された状態が殺滅のために電気エネルギー付与するのにきわめて好適な状態であると認識した。これが本発明の本質であり、効果的かつ実用的な生物殺滅が実現される。
【００３０】
本案は薄膜状になった殺滅ターゲットを殺滅するので電気的殺滅の効率が極めてよく電力コストは安い。しかも、公知の濾過装置の簡単な改造で実現できるのでイニシャルコストも低い。船舶バラスト水処理に利用可能である。
【発明を実施するための最良の形態】
【００３１】
本案の装置を記載する。すなわち、（請求項４）複数の導電性円筒状中空（バネ状）フィルタエレメントを内蔵した濾過槽で原水中の生物を殺滅する装置であって、複数の導電性円筒状中空（バネ状）フィルタエレメントが二群に分けられ、該二群の一群の導電部と他群の導電部を通電する電圧を印加する電源が前記二群の一群の導電部および他群の導電部とに接続し配設された液体中の生物を電気的に殺滅する装置である。
【００３２】
本案装置の別形態は、（請求項５）複数の導電性の円筒状中空（バネ状）フィルタエレメントと離隔した対抗電極が濾過槽内に配設され、該対抗電極と円筒状中空（バネ状）フィルタエレメントの導電部を通電する電圧を印加する電源が前記対抗電極および円筒状中空（バネ状）フィルタエレメントの導電部とに接続し配設された液体中の生物を電気的に殺滅する装置である。
【００３３】
本案装置の電源については、（請求項６）電源が印加電圧の極性反転回路を有するものであればよい。この回路は、直流の電圧極性を所定の時間経過で反転出力するもの、あるいは、交流の電圧電源の回路である。交流電源の電圧波形は、商用供給電源同様のサイン波でもよいが、のこぎり波、矩形波、三角波といった波形でもよい。もちろんパルス状で、パルスの極性を変化させた交流パルスでもよい。これらのいずれかが特定の生物殺滅にとって好適である可能性がある。なお、簡単のため、本明細書の記載・図面は、動作電極（working electrode）、対抗電極（対向電極 counter electrode）のみ記載・描画し、参照電極（reference electrode）の記載・描画は略した。
【図面の簡単な説明】
【００３４】
【図１】（ａ）二群に分けられた円筒状中空（バネ状）フィルタエレメントの一群に属する円筒状中空（バネ状）フィルタエレメント１Ａと他群１Ｂとの間に電圧を印加して通電する例、（ｂ）円筒状中空（バネ状）フィルタエレメントと離隔した対抗電極が濾過槽内に配設されていて、円筒状中空（バネ状）フィルタエレメントと対抗電極との間に直流または交流またはパルス状の電圧を印加して通電する例、（ｃ）前例（ｂ）で対抗電極の数を減らした例のそれぞれ説明図
【図２】二群に分けられた円筒状中空（バネ状）フィルタエレメントの一群に属する円筒状中空（バネ状）フィルタエレメント１Ａと他群１Ｂとの間に電圧を印加して通電する例の説明図（図１（ａ）とは別の実施例）
【図３】円筒状中空（バネ状）フィルタエレメントと離隔した対抗電極が濾過槽内に配設されていて、円筒状中空（バネ状）フィルタエレメントと対抗電極との間に電圧を印加して通電する例の説明図（図１（ｂ）と同様の実施例）
【図４】円筒状中空（バネ状）フィルタ濾過装置を用いた公知の水処理フロー（特許文献９図１）
【図５】円筒状中空（バネ状）フィルタ濾過装置（特許文献９図５）
【図６】（ａ）濾過スタンバイ、（ｂ）助剤のプリコート、（ｃ）濾過、（ｄ）逆洗、（ｅ）フィルタ洗浄が繰り返される円筒状中空（バネ状）フィルタエレメントの状態遷移の図
【図７】船舶バラスト水の環境基準
【図８】（ａ）従来の助剤プリコート状況で、上下方向の助剤拡散不均一が生じている例、（ｂ）攪拌手段１０で助剤不均一を解消したが、フィルタエレメント数が減少しフィルタ効率が下がる例、（ｃ）適切な攪拌手段の配設でフィルタ効率を悪化させることなく助剤不均一を解消した例
【図９】ＮｃおよびＮｎの両方を有する洗浄手段の例図
【図１０】隣接する円筒状中空（バネ状）フィルタエレメントに電圧を印加することで液体中の生物を殺滅することの説明図
【図１１】ロッド（棒）状の複数の対抗電極Ｒを円筒状中空（バネ状）フィルタエレメントに近接して配設した例の説明図
【図１２】ロッド（棒）状の複数の対抗電極Ｒを円筒状中空（バネ状）フィルタエレメントに近接して配設した例の説明図その２
【符号の説明】
【００３５】
１    円筒状中空（バネ状）フィルタエレメント
１Ａ  二群に分けられた複数の円筒状中空（バネ状）フィルタエレメントの一群に属する円筒状中空（バネ状）フィルタエレメント
１Ｂ  二群に分けられた複数の円筒状中空（バネ状）フィルタエレメントの他群に属する円筒状中空（バネ状）フィルタエレメント
２    原水（被処理水）流入孔
３    フィルタ１で濾過した水流出孔
４    熱水・スチーム流入孔
５    殺滅死骸を清浄水で混合希釈した液の排出孔
６    フィルタ１内部に至る開口を有して７に固定されたフィルタ１下端部
７    容器下部と容器中央部の仕切り板であって、フィルタ１下端部を固定し上下動する板
１０  フィルタ１を洗浄する洗浄手段またはフィルタ１の周縁を攪拌する攪拌手段であり、その導電性部が対抗電極（counter electrode）の機能をはたすものであり該電極がＥＬ０に接続されている。
１１  １０にフィルタ１を洗浄する流体またはフィルタ１の周縁を攪拌する流体を供給する供給管
Ｂｗ  濾過槽底部を満たすために注入されるダミー水であって熱水でもよい。
Ｃｗ  濾過処理された清浄水  Clear water
Ｄｗ  処理前の原水（バラスト水用途であれば港湾などで吸引した港湾水）  Dirty water
Ｅ    液体を排出した空の状態  Empty
ＥＬ    円筒状中空（バネ状）フィルタエレメント１に接続された外部端子
ＥＬ０  対抗電極１０に接続された外部端子
ＥＬ１  円筒状中空（バネ状）フィルタエレメントの一群（１Ａ）に接続された外部端子
ＥＬ２  円筒状中空（バネ状）フィルタエレメントの他群（１Ｂ）に接続された外部端子
ＥＬＡ  ＥＬ１と１Ａを電気的に接続する配線
ＥＬＢ  ＥＬ２と１Ｂを電気的に接続する配線
Ｈｗ  生物を殺滅するための流動熱源（熱水など）Hot water
Ｊ    珪藻土などの濾過助剤
Ｎｃ  洗浄手段に隣接するフィルタエレメント表面およびその周縁を洗浄する噴流ノズル
Ｎｎ  隣接する他の洗浄手段の表面を洗浄する噴流を放出する噴流ノズル
Ｐｗ  逆洗用の高圧液体または高圧気体
Ｑｗ  殺滅死骸を清浄水で混合希釈した液
Ｒ    ロッド（棒）状の対抗電極
Ｓ    流動熱源Ｈｗを加熱・保温するために導入する低圧の蒸気
ＳＳ  円筒状中空（バネ状）フィルタの間隙を開口させ逆洗するために導入する高圧の蒸気
Ｚ    電気絶縁材
【図１】
2006102678.tif 000003
【図２】
2006102678.tif 000004
【図３】
2006102678.tif 000005
【図６】
2006102678.tif 000006
【図７】
2006102678.tif 000007
【図８】
2006102678.tif 000008
【図９】
2006102678.tif 000009
【図１０】
2006102678.tif 000010
【図１１】
2006102678.tif 000011
【図１２】
2006102678.tif 000012
【図４】
2006102678.tif 000013
【図５】
2006102678.tif 000014